(57)【要約】  充電システム１００は、電子機器１と充電装置２を備える。充電装置２は、可変の磁場を発生する可変磁場発生部２５から発生させる磁場を制御する制御部２２を備え、制御部２２は、給電回路２１から送信される電力を受信している電子機器１のバッテリ１１における電力の残存容量又は蓄積可能空き容量に応じて、可変磁場発生部２５から発生させる磁場の強度を変化させる。
2014034183.tif 000002
【特許請求の範囲】
【請求項１】
無線により電力を送信する電力送信部を有する充電装置であって、
強度可変の磁場を発生する磁場発生部と、
前記磁場発生部が発生する磁場を制御する磁場制御部と、
前記電力送信部が送信する電力を受信可能な電子機器が、磁化性を有する磁化性物体を有しているか否かを判定する判定部と、を備え、
前記磁場制御部は、前記電子機器が前記磁化性物体を有していると前記判定部により判定された場合に、前記電子機器のバッテリにおける電力の残存容量又は蓄積可能空き容量に応じて、前記磁場発生部が発生する磁場の強度を、ゼロを除く複数段階に可変する制御を行う充電装置。
【請求項２】
請求項１記載の充電装置であって、
前記磁場制御部は、前記電子機器が前記磁化性物体を有していないと前記判定部により判定された場合には、前記磁場発生部から磁場を発生させない充電装置。
【請求項３】
請求項１又は２記載の充電装置であって、
前記電子機器との近接度を検出する近接度検出部を備え、
前記磁場制御部は、前記電子機器が前記磁化性物体を有していると前記判定部により判定された場合に、前記近接度と前記残存容量又は前記蓄積可能空き容量に応じて前記磁場の強度を可変する充電装置。
【請求項４】
請求項３記載の充電装置であって、
前記磁場制御部は、前記磁化性物体を有する前記電子機器との前記近接度が予め決めた値以上の状態では前記磁場発生部から磁場を発生させず、前記近接度が前記予め決めた値未満になった時点で、前記残存容量又は前記蓄積可能空き容量に応じた強度の磁場を前記磁場発生部から発生させる充電装置。
【請求項５】
請求項１又は２記載の充電装置であって、
前記電子機器との近接度を検出する近接度検出部を備え、
前記磁場制御部は、前記電子機器が前記磁化性物体を有していると前記判定部により判定された場合に、前記磁化性物体を有する前記電子機器との前記近接度が予め決めた値以上の状態では前記磁場発生部から磁場を発生させず、前記近接度が前記予め決めた値未満になった時点から予め決められた時間経過後に、前記残存容量又は前記蓄積可能空き容量に応じた強度の磁場を前記磁場発生部から発生させる充電装置。
【請求項６】
請求項１又は２記載の充電装置であって、
前記電子機器との近接度を検出する近接度検出部を備え、
前記磁場制御部は、前記電子機器が前記磁化性物体を有していると前記判定部により判定された場合に、前記磁化性物体を有する前記電子機器との前記近接度が予め決めた値以上の状態では、前記残存容量又は前記蓄積可能空き容量とは無関係に、前記磁化性物体との間で引力を発生させる固定強度の磁場を前記磁場発生部から発生させ、前記近接度が前記予め決めた値未満の状態では、前記残存容量又は前記蓄積可能空き容量に応じた強度の磁場を発生させる充電装置。
【請求項７】
請求項１又は２記載の充電装置であって、
前記電子機器に対する物体の接近を検出する物体接近検出部を備え、
前記磁場制御部は、前記電子機器に対して予め決められた距離内に物体がない状態では、前記磁場発生部から磁場を発生させず、前記電子機器に対して予め決められた距離内に物体がある状態で、前記残存容量又は前記蓄積可能空き容量に応じた強度の磁場を前記磁場発生部から発生させる充電装置。
【請求項８】
請求項１〜７のいずれか１項記載の充電装置であって、
前記電子機器の質量の情報を取得する機器質量情報取得部を備え、
前記磁場制御部は、前記残存容量又は前記蓄積可能空き容量に応じて前記磁場発生部から発生させる磁場の強度を、前記電子機器の質量に応じて可変する充電装置。
【請求項９】
請求項１〜８のいずれか１項記載の充電装置であって、
前記電子機器が接触している充電装置における位置を検出する機器接触位置検出部を備え、
前記磁場制御部は、前記残存容量又は前記蓄積可能空き容量に応じて前記磁場発生部から発生させる磁場の強度を、前記電子機器の接触位置に応じて可変する充電装置。
【請求項１０】
請求項１〜９のいずれか１項記載の充電装置であって、
前記電子機器に触れている人物を識別する識別部を備え、
前記磁場制御部は、前記残存容量又は前記蓄積可能空き容量に応じて前記磁場発生部から発生させる磁場の強度を、前記識別部によって識別された人物に応じて可変する充電装置。
【請求項１１】
請求項１〜９のいずれか１項記載の充電装置であって、
前記電子機器に触れている人物を識別する識別部を備え、
前記磁場制御部は、前記識別部により識別された人物が予め登録された人物でない場合に、前記残量容量又は前記蓄積可能空き容量とは無関係に、前記磁場発生部から、前記磁化性物体との間で引力を発生させる固定の強度の磁場を発生させる充電装置。
【請求項１２】
請求項１〜１１のいずれか１項記載の充電装置であって、
前記磁化性物体は磁石であり、
前記磁場制御部は、前記磁場発生部から発生させる磁場を、前記磁石との間で斥力を発生させる第一の磁場と、前記磁石との間で引力を発生させる第二の磁場とで切り替える制御を行う充電装置。
【請求項１３】
磁化性を有する磁化性物体を備える充電装置から無線により送信されてくる電力を受信する電力受信部と、前記電力受信部により受信した電力により充電されるバッテリとを有する電子機器であって、
強度が可変の磁場を発生する磁場発生部と、
前記磁場発生部が発生する磁場を制御する磁場制御部とを備え、
前記磁場制御部は、前記バッテリにおける電力の残存容量又は蓄積可能空き容量に応じて、前記磁場発生部が発生する磁場の強度を、ゼロを除く複数段階に可変する電子機器。
【請求項１４】
請求項１３記載の電子機器であって、
前記充電装置との近接度を検出する近接度検出部を備え、
前記磁場制御部は、前記近接度と前記残存容量又は前記蓄積可能空き容量に応じて、前記磁場の強度を可変する電子機器。
【請求項１５】
請求項１４記載の電子機器であって、
前記磁場制御部は、前記近接度が予め決めた値以上の状態では前記磁場発生部から磁場を発生させず、前記近接度が前記予め決めた値未満になった時点で、前記残存容量又は前記蓄積可能空き容量に応じた強度の磁場を前記磁場発生部から発生させる電子機器。
【請求項１６】
請求項１３記載の電子機器であって、
前記充電装置との近接度を検出する近接度検出部を備え、
前記磁場制御部は、前記近接度が予め決めた値以上の状態では前記磁場発生部から磁場を発生させず、前記近接度が前記予め決めた値未満になった時点から予め決められた時間経過後に、前記残存容量又は前記蓄積可能空き容量に応じた強度の磁場を前記磁場発生部から発生させる電子機器。
【請求項１７】
請求項１３記載の電子機器であって、
前記充電装置との近接度を検出する近接度検出部を備え、
前記磁場制御部は、前記近接度が予め決めた値以上の状態では、前記残存容量又は前記蓄積可能空き容量とは無関係に、前記磁化性物体との間で引力を発生させる固定強度の磁場を前記磁場発生部から発生させる電子機器。
【請求項１８】
請求項１３〜１７のいずれか１項記載の電子機器であって、
物体の接近を検出する物体接近検出部を備え、
前記磁場制御部は、前記電子機器に対して予め決められた距離内に物体がない状態では、前記磁場発生部から磁場を発生させず、前記電子機器に対して予め決められた距離内に物体がある状態で、前記残存容量又は前記蓄積可能空き容量に応じた強度の磁場を前記磁場発生部から発生させる電子機器。
【請求項１９】
請求項１３〜１８のいずれか１項記載の電子機器であって、
前記電子機器の質量の情報を取得する機器質量情報取得部を備え、
前記磁場制御部は、前記残存容量又は前記蓄積可能空き容量に応じて前記磁場発生部から発生させる磁場の強度を、前記電子機器の質量に応じて可変する電子機器。
【請求項２０】
請求項１３〜１９のいずれか１項記載の電子機器であって、
前記充電装置における前記電子機器の接触位置を検出する機器接触位置検出部を備え、
前記磁場制御部は、前記残存容量又は前記蓄積可能空き容量に応じて前記磁場発生部から発生させる磁場の強度を、前記電子機器の接触位置に応じて可変する電子機器。
【請求項２１】
請求項１３〜２０のいずれか１項記載の電子機器であって、
前記電子機器に触れている人物を識別する識別部を備え、
前記磁場制御部は、前記残存容量又は前記蓄積可能空き容量に応じて前記磁場発生部から発生させる磁場の強度を、前記識別部によって識別された人物に応じて可変する電子機器。
【請求項２２】
請求項１３〜２０のいずれか１項記載の電子機器であって、
前記電子機器に触れている人物を識別する識別部を備え、
前記磁場制御部は、前記識別部により識別された人物が予め登録された人物でない場合に、前記残存容量又は前記蓄積可能空き容量とは無関係に、前記磁場発生部から、前記磁化性物体との間で引力を発生させる固定強度の磁場を発生させる電子機器。
【請求項２３】
請求項１３〜２２のいずれか１項記載の電子機器であって、
前記磁化性物体は磁石であり、
前記磁場制御部は、前記磁場発生部が発生する磁場を、前記磁石との間で斥力を発生させる第一の磁場と、前記磁石との間で引力を発生させる第二の磁場とで切り替える制御を行う電子機器。
【請求項２４】
無線により電力を送信する電力送信部と磁場を発生する磁場発生部とを有する充電装置を用いた充電状況通知方法であって、
前記充電装置が、前記磁場発生部が発生する磁場の強度を可変制御する磁場制御ステップと、
前記電力送信部から送信される電力を受信可能な電子機器が、磁化性を有する磁化性物体を有しているか否かを判定する判定ステップと、を備え、
前記磁場制御ステップでは、前記磁化性物体を有すると判定された前記電子機器のバッテリにおける電力の残存容量又は蓄積可能空き容量に応じて、前記磁場発生部が発生する磁場の強度を、ゼロを除く複数段階に可変する充電状況通知方法。
【請求項２５】
磁化性を有する磁化性物体を備える充電装置から無線により送信されてくる電力を受信する電力受信部と、前記電力受信部により受信した電力により充電されるバッテリと、磁場を発生する磁場発生部とを有する電子機器を用いた充電状況通知方法であって、
前記電子機器が、前記磁場発生部が発生する磁場の強度を可変制御する磁場制御ステップを備え、
前記磁場制御ステップでは、前記電子機器が、前記バッテリにおける電力の残存容量又は蓄積可能空き容量に応じて、前記磁場の強度をゼロを除く複数段階に可変する充電状況通知方法。
【発明の詳細な説明】
【技術分野】
【０００１】
本発明は、充電装置、電子機器、及びこれらを用いた充電状況通知方法に関する。
【背景技術】
【０００２】
スマートフォンに代表される携帯電話機、デジタルカメラ、タブレット端末、及びノート型パーソナルコンピュータ等のバッテリを搭載する電子機器は、電源に２次電池を使用していることが多い。２次電池の充電は専用のクレードルを使用したコネクタピンによるものが多いが、電磁誘導等を利用したワイヤレス充電装置により充電するものも提案されている。【０００３】
近年では、特にスマートフォンへのワイヤレス充電機能の搭載が加速しており、ワイヤレス充電装置とそれに対応する電子機器の普及も爆発的に進むと考えられる。【０００４】
特許文献１には、デジタルカメラ等の電子機器から、バッテリ充電の進捗状況等の情報をワイヤレス充電装置に送信し、ワイヤレス充電装置の表示部にこの進捗状況を表示するシステムが記載されている。【０００５】
特許文献２には、電気自動車のバッテリを充電するシステムにおいて、充電開始時に受電プラグと給電プラグを電磁石により結合した状態で充電を開始し、充電開始から所定時間経過して充電が終了すると、受電プラグと給電プラグの結合状態を解除するシステムが記載されている。【０００６】
特許文献３には、ワイヤレス充電に対応したデジタルカメラが記載されている。このデジタルカメラでは、ＩＣ等の電子回路部品が破損したり誤作動したりするのを防ぐために、背面から見て右半分側には、充電時に生じる磁界による悪影響が少ない部品を配置し、左半分側には磁界による悪影響を受けやすいＩＣを配置する構成としている。
【先行技術文献】
【特許文献】
【０００７】
【特許文献１】日本国特開２０１２−１９６６６号公報
【特許文献２】日本国特開２００４−２８９９５３号公報
【特許文献３】日本国特開２００３−７９０７５号公報
【発明の概要】
【発明が解決しようとする課題】
【０００８】
特許文献１に記載されているように、充電の進捗状況が表示部に表示されることは便利であるが、特許文献１では充電装置側に表示部を設ける必要があり、充電装置及び電子機器のコストが高くなってしまう。【０００９】
また、電子機器側の表示部に充電の進捗状況を表示することも可能であるが、電子機器の表示部は大画面であることが多いため、表示のための電力を多く消費することになり、充電効率が低下する。【００１０】
本発明は、上記事情に鑑みてなされたものであり、コストをかけることなくワイヤレス充電中の電子機器の充電状況を把握可能とする充電装置及びワイヤレス充電対応の電子機器を提供することを目的とする。
【課題を解決するための手段】
【００１１】
本発明の充電装置は、無線により電力を送信する電力送信部を有する充電装置であって、強度可変の磁場を発生する磁場発生部と、上記磁場発生部が発生する磁場を制御する磁場制御部と、上記電力送信部が送信する電力を受信可能な電子機器が、磁化性を有する磁化性物体を有しているか否かを判定する判定部と、を備え、上記磁場制御部は、上記電子機器が上記磁化性物体を有していると上記判定部により判定された場合に、上記電子機器のバッテリにおける電力の残存容量又は蓄積可能空き容量に応じて、上記磁場発生部が発生する磁場の強度を、ゼロを除く複数段階に可変する制御を行うものである。【００１２】
本発明の電子機器は、磁化性を有する磁化性物体を備える充電装置から無線により送信されてくる電力を受信する電力受信部と、上記電力受信部により受信した電力により充電されるバッテリとを有する電子機器であって、強度が可変の磁場を発生する磁場発生部と、上記磁場発生部が発生する磁場を制御する磁場制御部とを備え、上記磁場制御部は、上記バッテリにおける電力の残存容量又は蓄積可能空き容量に応じて、上記磁場発生部が発生する磁場の強度を、ゼロを除く複数段階に可変するものである。【００１３】
本発明の充電状況通知方法は、無線により電力を送信する電力送信部と磁場を発生する磁場発生部とを有する充電装置を用いた充電状況通知方法であって、上記充電装置が、上記磁場発生部が発生する磁場の強度を可変制御する磁場制御ステップと、上記電力送信部から送信される電力を受信可能な電子機器が、磁化性を有する磁化性物体を有しているか否かを判定する判定ステップと、を備え、上記磁場制御ステップでは、上記磁化性物体を有すると判定された上記電子機器のバッテリにおける電力の残存容量又は蓄積可能空き容量に応じて、上記磁場発生部が発生する磁場の強度を、ゼロを除く複数段階に可変するものである。【００１４】
本発明の充電状況通知方法は、磁化性を有する磁化性物体を備える充電装置から無線により送信されてくる電力を受信する電力受信部と、上記電力受信部により受信した電力により充電されるバッテリと、磁場を発生する磁場発生部とを有する電子機器を用いた充電状況通知方法であって、上記電子機器が、上記磁場発生部が発生する磁場の強度を可変制御する磁場制御ステップを備え、上記磁場制御ステップでは、上記電子機器が、上記バッテリにおける電力の残存容量又は蓄積可能空き容量に応じて、上記磁場の強度をゼロを除く複数段階に可変するものである。
【発明の効果】
【００１５】
本発明によれば、コストをかけることなくワイヤレス充電中の電子機器の充電状況を把握可能とする充電装置及びワイヤレス充電対応の電子機器を提供することができる。
【図面の簡単な説明】
【００１６】
【図１】本発明の一実施形態を説明するための充電システムの概略構成を示す図
【図２】図１に示す充電システム１００に用いられる電子機器１の内部構成を示す図
【図３】図１に示す充電システム１００に用いられる充電装置２の内部構成を示す図
【図４】充電システム１００の動作を説明するためのフローチャート
【図５】充電システム１００における電子機器１の変形例である電子機器１ａの内部構成を示すブロック図
【図６】電子機器１ａと充電装置２を有する充電システムの動作を説明するためのフローチャート
【図７】充電システム１００における充電装置２の変形例である充電装置２ａの内部構成を示すブロック図
【図８】電子機器１と充電装置２ａを有する充電システムの動作を説明するためのフローチャート
【図９】充電システム１００における電子機器１の変形例である電子機器１ｂの内部構成を示すブロック図
【図１０】電子機器１ｂと充電装置２を有する充電システムの動作を説明するためのフローチャート
【図１１】充電システム１００における充電装置２の変形例である充電装置２ｂの内部構成を示すブロック図
【図１２】充電システム１００における充電装置２の変形例である充電装置２ｃの内部構成を示すブロック図
【図１３】充電システム１００における電子機器１の変形例である電子機器１ｃの内部構成を示すブロック図
【発明を実施するための形態】
【００１７】
以下、本発明の実施形態について図面を参照して説明する。
【００１８】
図１は、本発明の一実施形態を説明するための充電システムの概略構成を示す図である。
【００１９】
充電システム１００は、バッテリ（２次電池）を搭載する電子機器１（図１の例ではデジタルカメラとしている）と、電子機器１のバッテリを充電する充電装置２とを備える。
【００２０】
電子機器１は、磁化性を有する磁化性物体としての磁性体１８が筐体底面に内蔵されている。磁化性物体には、他の物体からの磁場に関係なく自発的に磁化する性質（自発磁化性）を持つ磁石（永久磁石、電磁石）と、非自発的に磁化する性質（非自発磁化性）を持つ磁性体（強磁性体、常磁性体、反磁性体）とが含まれるが、ここでは磁性体としている。
【００２１】
なお、「非自発磁化性を有する」物質とは、磁場を除くと、それに応じて、その物質のいかなる部分においても磁化が消失する性質を有していることをいう。
【００２２】
充電装置２は、電子機器１を置くための平面部が筐体に設けられ、強度可変の磁場を発生する可変磁場発生部２５がこの平面部に内蔵されている。充電システム１００では、可変磁場発生部２５から発生する磁場によって、可変磁場発生部２５と磁性体１８との間で磁力を発生させることができるようになっている。
【００２３】
図２は、図１に示す充電システム１００に用いられる電子機器１の内部構成を示す図である。
【００２４】
電子機器１は、バッテリ１１と、バッテリ１１を充電する充電回路１４と、全体を統括制御する制御部１５と、制御部１５に対して各種指示を行うための操作部１７と、メモリ１２と、液晶や有機ＥＬ等により構成されて各種情報を表示する表示部１３と、近距離無線通信部１６と、強磁性体及び反磁性体等の磁性体１８と、を備える。電子機器１は、表示部１３を有さないものであってもよい。
【００２５】
充電回路１４は、受電コイルを含み、後述する充電装置２の給電回路２１から無線で供給される電力を受けて、その電力によりバッテリ１１を充電する。
【００２６】
充電回路１４は、バッテリ１１の残存容量（バッテリ残量）を検出するバッテリ残量検出回路を含み、バッテリ残量検出回路により検出されたバッテリ残量の情報は制御部１５に送信される。
【００２７】
近距離無線通信部１６は、インターネット等のネットワークを介することなく、別の機器と無線で通信を行うものである。
【００２８】
近距離無線通信部１６は、例えば、非接触ＩＣ、Ｂｌｕｅｔｏｏｔｈ（登録商標）等の規格に準拠した通信モジュール等により構成される。
【００２９】
メモリ１２は、制御部１５が実行するプログラムを格納するＲＯＭや、ワークメモリとしてのＲＡＭ等を含む。
【００３０】
制御部１５は、充電回路１４によりバッテリ１１の充電を開始すると、バッテリ残量検出回路により検出された残存容量の情報を定期的に取得し、取得した情報を、近距離無線通信部１６から充電装置２に送信させる。
【００３１】
図３は、図１に示す充電システム１００に用いられる充電装置２の内部構成を示す図である。
【００３２】
充電装置２は、給電コイルを含む給電回路２１と、全体を統括制御する制御部２２と、ＲＡＭ、ＲＯＭ等を含むメモリ２３と、近距離無線通信部２４と、可変磁場発生部２５とを備える。充電装置２は、電子機器１を置くための平面部を有しており、この平面部内に給電回路２１が内蔵される。
【００３３】
近距離無線通信部２４は、ネットワークを介することなく、電子機器１を含む別の機器と通信を行うものである。近距離無線通信部２４は、例えば、非接触ＩＣ、Ｂｌｕｅｔｏｏｔｈ（登録商標）等の規格に準拠した通信モジュール等により構成される。
【００３４】
可変磁場発生部２５は、例えば電磁石であり、コイルに流す電流の大きさが制御部２２により制御されることで、可変の強度の磁場を発生する。
【００３５】
可変磁場発生部２５を構成する電磁石のＮ極及びＳ極となる部分の一方は、充電装置２の平面部における電子機器１が置かれる面側に配置され、電磁石のＮ極及びＳ極となる部分の他方は、充電装置２の平面部における電子機器１が置かれる面とは反対面側に配置される。
【００３６】
制御部２２は、近距離無線通信部２４により、充電装置２の平面部に置かれた電子機器１の近距離無線通信部１６と通信を行い、電子機器１からバッテリ１１のバッテリ残量の情報を取得する。制御部２２は、このバッテリ残量の情報にしたがって、可変磁場発生部２５から発生させる磁場の強度を制御する。
【００３７】
以上のように構成された充電システム１００の動作を説明する。
【００３８】
図４は、充電システム１００の動作を説明するためのフローチャートである。
【００３９】
充電装置２の平面部に無線による電力を受信可能な電子機器が置かれると、充電装置２の制御部２２は、この電子機器への電力送信を開始（電子機器の充電を開始）する。
【００４０】
充電開始後、充電装置２の制御部２２は、充電対象となる電子機器１が磁化性物体を有するものか否かを判定する（ステップＳ００）。
【００４１】
この判定は、電子機器側から非接触充電の通信規格にしたがって無線通信により磁化性物体の有無の情報を取得して判定する方法、電子機器の所有者が充電装置に対して磁化性物体の有無の情報を入力できるようにしておき、この情報を制御部２２が取得する方法、充電装置に近接センサを設けておき、この近接センサに流れるうず電流値から磁化性物体の有無を判定する方法、等を用いればよい。
【００４２】
ステップＳ００の判定がＹＥＳのとき、制御部２２は、バッテリ残量情報の送信を要求する信号を、近距離無線通信部２４を介して電子機器１に送信する（ステップＳ０１）。
【００４３】
ステップＳ００の判定がＮＯのとき、制御部２２は、通常の充電処理のみを行う。つまり、制御部２２は、磁場発生部２５から磁場を発生させる制御は行わない。
【００４４】
ステップＳ０１で送信された要求信号を受信した電子機器１は、充電回路１４によりバッテリ１１の残存容量を検出する（ステップＳ１）。電子機器１の制御部１５は、この残存容量の情報を取得し、この情報を、近距離無線通信部１６を介して充電装置２に送信する（ステップＳ２）。
【００４５】
充電装置２では、バッテリ１１の残存容量の情報を近距離無線通信部２４が受信し、この情報を制御部２２が取得する（ステップＳ３）。そして、制御部２２は、取得した情報に基づくバッテリ残量に応じて、可変磁場発生部２５から発生させる磁場の強度を、ゼロを除いた複数段階の値に決定し、決定した強度の磁場を可変磁場発生部２５から発生させる（ステップＳ４）。
【００４６】
磁性体１８として強磁性体又は常磁性体を用いる場合、可変磁場発生部２５から発生させる磁場を制御することで、電子機器１の磁性体１８との間で可変の引力を発生させることができる。
【００４７】
具体的には、制御部２２は、可変磁場発生部２５から発生させる磁場の強度をバッテリ残量が大きいほど大きく制御する。これにより、電子機器１の磁性体１８との間で発生する引力を、バッテリ残量が大きいほど大きなものとすることができる。
【００４８】
充電システム１００では、ステップＳ００の判定がＹＥＳのときは、ステップＳ１〜ステップＳ４までの処理が定期的にくり返し行われる。
【００４９】
以上の動作により、電子機器１の充電が開始されると、バッテリ１１の残量に応じて、電子機器１と充電装置２との間で発生する引力の大きさが変化する。このため、充電中に電子機器１を持ち上げたユーザは、電子機器１と充電装置２との間で発生する引力の強さによって電子機器１のバッテリ残量を感覚的に知ることができる。
【００５０】
なお、制御部２２は、可変磁場発生部２５から発生させる磁場の強度を、バッテリ残量が大きいほど小さく制御してもよい。
【００５１】
この場合、バッテリ１１の充電し始めは、引力が強いため、充電装置２から電子機器１を持ち上げるときに電子機器１が重く感じ、充電が進むにしたがって、引力が弱まって、電子機器１が軽くなる感覚を与えることができる。
【００５２】
また、制御部２２は、可変磁場発生部２５から発生させる磁場の強度を、バッテリ１１における電力の蓄積可能容量（バッテリ空き容量）に応じて制御してもよい。
【００５３】
例えば、電子機器１の充電回路１４に、バッテリ１１の空き容量を検出する回路を設けておき、この空き容量の情報を充電装置２の制御部２２が取得し、取得した空き容量の情報に応じて磁場の強度を制御する。これにより、バッテリ残量に応じて磁場の強度を制御したときと同様の効果を得ることができる。
【００５４】
また、可変磁場発生部２５と磁性体１８との間で発生させる磁力は引力ではなく斥力としてもよい。
【００５５】
この場合は、磁性体１８としてビスマス等の反磁性体を用い、制御部２２が可変磁場発生部２５から発生させる磁場を制御することで、電子機器１の磁性体１８との間で可変の斥力を発生させることができる。
【００５６】
また、可変磁場発生部２５から発生させる磁場の強度は、同じバッテリ残量に対して複数段階の値を設定可能としてもよい。
【００５７】
例えば、電子機器１又は充電装置２において、可変磁場発生部２５から発生させる磁場の強度を、強め、普通、弱めの三段階に分けて設定可能とし、設定された段階にしたがって、制御部２２が可変磁場発生部２５から発生させる磁場の強度を決めてもよい。
【００５８】
また、可変磁場発生部２５から発生させる磁場の強度を、バッテリ残量に関わらず任意の値に設定できるようにしてもよい。
【００５９】
例えば、充電装置２にインターネット等のネットワークと接続する通信部を設けておき、スマートフォン等のネットワークに接続可能な通信端末から、可変磁場発生部２５と磁性体１８との間に発生させる磁力の大きさを指示する信号を充電装置２に送信できるようにする。充電装置２の制御部２２は、この信号を受信すると、可変磁場発生部２５から発生させる磁場を、指定された強度に設定する。
【００６０】
例えば、電子機器１を充電装置２上に置き忘れた場合に、遠隔操作によって電子機器１と充電装置２との間に発生させる引力を最大にすれば、電子機器１を充電装置２に固定することができ、電子機器１の盗難を防止することができる。
【００６１】
次に、図１に示す充電システム１００の変形例について説明する。
【００６２】
（第一の変形例）
図５は、充電システム１００における電子機器１の変形例である電子機器１ａの内部構成を示すブロック図である。電子機器１ａは、磁性体１８の代わりに磁化性物体として磁石１９を設けた点を除いては、電子機器１と同じ構成である。
【００６３】
磁石１９は、永久磁石又は電磁石により構成される。以下では磁石１９として電磁石を用いた場合を説明する。
【００６４】
磁石１９のＮ極及びＳ極となる部分の一方は、電子機器１の底面側に向けて配置され、Ｎ極及びＳ極となる部分の他方は、電子機器１の上面側に向けて配置される。
【００６５】
図６は、電子機器１ａと充電装置２を有する充電システムの動作を説明するためのフローチャートである。図６において図４と同じ処理には同一符号を付してある。
【００６６】
電子機器１ａの制御部１５は、バッテリ残量の情報を充電回路１４から取得すると、ステップＳ２でこの情報を充電装置２に送信し、更に、ステップＳ１１において、この情報にしたがって磁石１９から発生させる磁場の強度を制御する（ステップＳ１１）。
【００６７】
一方、バッテリ残量の情報を電子機器１ａから取得した充電装置２の制御部２２は、取得した情報にしたがって可変磁場発生部２５から発生させる磁場の強度を制御する（ステップＳ１０）。
【００６８】
ステップＳ１０とステップＳ１１において磁石１９と可変磁場発生部２５から発生させる磁場は、双方の対向する部分が同極性又は逆極性となる磁場としている。
【００６９】
つまり、第一の変形例によれば、磁石１９と可変磁場発生部２５の間に、引力と斥力のいずれかを選択的に発生させることができる。そして、この引力又は斥力が、例えばバッテリ残量が多いほど大きく又は小さくなるよう制御することで、バッテリ１１の残量を感覚的に知らせることを可能にしている。
【００７０】
磁石１９と可変磁場発生部２５の間で斥力を発生させる場合は、例えば、バッテリ残量が少ないときは発生させる磁場を弱めて斥力を小さくし、バッテリ残量が増えるにしたがって磁場を強めて斥力を大きくしていく。
【００７１】
このようにすることで、充電が進むにつれて、電子機器１ａを持ち上げやすくなるため、充電完了後の電子機器１ａの使用時の利便性を向上させることができる。
【００７２】
同様に、磁石１９と可変磁場発生部２５の間で引力を発生させる場合は、例えば、バッテリ残量が少ないときは磁場を強めて引力を大きくし、バッテリ残量が増えるにしたがって磁場を弱めて引力を小さくしていく。
【００７３】
このようにすることで、充電が進むにつれて、電子機器１ａを持ち上げやすくなるため、充電完了後の電子機器１ａの使用時の利便性を向上させることができる。
【００７４】
なお、充電装置２が、可変磁場発生部２５から発生させる磁場の強度をバッテリ残量に応じて制御し、電子機器１ａが、磁石１９から発生させる磁場を予め決めた固定の強度の磁場とする構成（つまり、磁石１９を永久磁石とした構成）としてもよい。
【００７５】
この構成でも、同様に、磁石１９と可変磁場発生部２５の間で、バッテリ残量に応じた引力又は斥力を発生させることは可能である。
【００７６】
充電装置２の制御部２２は、バッテリ１１の充電が完了するまでは、バッテリ残量に応じた引力を磁石１９と可変磁場発生部２５の間で発生させ、バッテリ１１の充電が完了したら、磁石１９と可変磁場発生部２５の間で大きな斥力を発生させる制御を行ってもよい。
【００７７】
このようにすることで、充電中は電子機器１ａを充電装置２に接触させた状態にし、充電完了後は電子機器１ａを充電装置２から浮かせた状態にすることができる。これにより、充電完了を分かりやすくユーザに通知することができる。
【００７８】
この変形例では、可変磁場発生部２５と磁石１９との間に斥力と引力のいずれかを発生させることができるが、充電中において発生させる磁力を、斥力と引力のどちらとするかをマニュアル設定できるようにしてもよい。
【００７９】
例えば、電子機器１ａの操作部を操作して、斥力と引力のどちらを発生させるかを設定できるようにし、この設定情報を電子機器１ａから充電装置２に送信する構成とすればよい。
【００８０】
又は、電子機器１ａと充電装置２の少なくとも一方にインターネット等のネットワークと接続する通信部を設けておき、スマートフォン等のネットワークに接続可能な通信端末から、電子機器１ａと充電装置２の少なくとも一方に対して設定を指示する信号を送信できるようにしてもよい。
【００８１】
また、充電装置２の制御部２２は、予め決められた条件が満たされた場合に、可変磁場発生部２５と磁石１９との間に発生させる磁力を、斥力と引力で交互に切り替える制御を行ってもよい。
【００８２】
例えば、磁石１９から発生させる磁場は固定（磁石１９を永久磁石とする場合も含む）とし、可変磁場発生部２５から発生させる磁場の向きを交互に変えることで、斥力と引力を交互に発生させることができる。
【００８３】
また、磁石１９から発生させる磁場の向きと、可変磁場発生部２５から発生させる磁場の向きを、それぞれ同タイミングで逆方向に変える制御を繰り返すことでも、斥力と引力を交互に発生させることができる。
【００８４】
この場合は、充電装置２の制御部２２から、磁場の向きの切り替えを指示する信号を電子機器１ａに送信し、電子機器１ａの制御部１５はこの信号にしたがって磁石１９から発生させる磁場を制御すればよい。
【００８５】
上述した予め決められた条件としては、例えば、バッテリ１１の充電が完了した場合や、制御部２２が外部からの指示信号を受信した場合等である。
【００８６】
バッテリ１１の充電が完了した場合に、制御部２２が、可変磁場発生部２５と磁石１９との間に斥力と引力を交互に発生させることで、電子機器１ａが充電装置２上で跳ねる動作をすることになり、このときの様子や動作音によって、充電が完了したことを報知することができる。
【００８７】
また、充電装置２にインターネット等のネットワークと接続する通信部を設けておき、スマートフォン等のネットワークに接続可能な通信端末から、引力と斥力を交互に発生させることを指示する信号を充電装置２に送信できるようにする。
【００８８】
充電装置２の制御部２２は、この信号を受信すると、可変磁場発生部２５と磁石１９との間に斥力と引力を交互に発生させる。このようにすることで、電子機器１ａをどこかの充電装置２上に置き忘れた場合に、電子機器１ａが充電装置２上で跳ねる動作やその動作音によって、電子機器１ａの捜索を補助することができる。
【００８９】
（第二の変形例）
図７は、充電システム１００における充電装置２の変形例である充電装置２ａの内部構成を示すブロック図である。充電装置２ａは、近接度検出部２６を追加した点を除いては、充電装置２と同じ構成である。
【００９０】
近接度検出部２６は、充電装置２ａに対して電子機器１がどの程度近接しているかを示す近接度を検出する。
【００９１】
近接度検出部２６は、例えば、充電装置２ａの電子機器１を置く平面部に設けられた物理的なセンサ（近接センサ等）によって、電子機器１と充電装置２ａとの近接度を検出する。
【００９２】
又は、電子機器１側に物理的なセンサを設けておき、電子機器１がこのセンサによって電子機器１と物体との近接度を検出し、その検出信号を近距離無線通信部１６から近距離無線通信部２４に送信する。
【００９３】
そして、充電装置２ａの制御部２２がこの検出信号を取得することによって、充電装置２ａと電子機器１との近接度を検出してもよい。つまり、制御部２２を近接度検出部２６として機能させてもよい。
【００９４】
図８は、電子機器１と充電装置２ａを有する充電システムの動作を説明するためのフローチャートである。図８において図４と同じ処理には同一符号を付してある。なお、充電開始時点では、充電装置２ａの制御部２２は、可変磁場発生部２５からは磁場を発生させていないものとする。
【００９５】
ステップＳ３の後、充電装置２ａの制御部２２は、近接度検出部２６によって検出された近接度が予め決めた閾値ＴＨ以上かどうかを判定し、近接度が閾値ＴＨ以上であれば（ステップＳ１３：ＹＥＳ）、ステップＳ１４の処理を行い、近接度が閾値ＴＨ未満であれば（ステップＳ１３：ＮＯ）、ステップＳ４の処理を行う。
【００９６】
なお、近接度の閾値ＴＨは、例えば、充電装置２ａと電子機器１が接触しているときにセンサによって検出される値としておけばよいが、これに限らず、充電装置２ａと電子機器１が僅かに離れているときのセンサによって検出される値を閾値ＴＨとしてもよい。
【００９７】
ステップＳ１４において、充電装置２ａの制御部２２は、可変磁場発生部２５から磁場を発生させている場合には、可変磁場発生部２５から発生させる磁場をゼロにする（磁場の発生を停止）制御を行う。
【００９８】
このように、電子機器１が充電装置２ａの平面部上に置かれており近接度が閾値ＴＨ以上の状態では、可変磁場発生部２５からは磁場を発生させず、電子機器１が持ち上げられて充電装置２ａとの接触が無くなって近接度が閾値ＴＨ未満になった状態で、バッテリ残量に応じた磁場を可変磁場発生部２５から発生させる。
【００９９】
このようにすることで、バッテリ残量に応じた磁場を可変磁場発生部２５から常に発生させる場合と比較して充電装置２ａの消費電力を抑えることができる。したがって、充電効率を向上させることができる。
【０１００】
なお、充電装置２ａの制御部２２は、近接度が閾値ＴＨ未満になった時点（例えば電子機器１が持ち上げられて充電装置２ａとの接触が無くなった）時点から、予め決められた時間経過後に、バッテリ残量に応じた磁場を可変磁場発生部２５から発生させるようにしてもよい。
【０１０１】
このようにすることで、電子機器１を持ち上げた瞬間は電子機器１の重さのみを感じ、その後、バッテリ残量に応じた磁力が発生するため、バッテリ残量をより分かりやすく伝えることができる。
【０１０２】
また、充電装置２ａの制御部２２は、図８のステップＳ１４において、可変磁場発生部２５から発生させる磁場をゼロにする代わりに、バッテリ残量によらない固定の強度の磁場（引力を発生させる磁場）を可変磁場発生部２５から発生させるようにしてもよい。
【０１０３】
つまり、近接度が閾値ＴＨ以上の状態（例えば電子機器１が充電装置２ａの平面部上に置かれている状態）では、可変磁場発生部２５から固定強度の磁場を発生させ、近接度が閾値ＴＨ未満になった状態（電子機器１が持ち上げられて充電装置２ａとの接触が無くなった状態）で、バッテリ残量に応じた磁場を可変磁場発生部２５から発生させてもよい。
【０１０４】
このようにすることで、電子機器１が充電装置２ａに接触している間は、固定の強度の磁場によって発生する引力により、充電装置２ａに対して電子機器１を固定することが可能になる。このため、充電中の電子機器１の位置ズレを防いで、充電効率を向上させることができる。
【０１０５】
なお、位置ズレを防ぐという観点から、上記固定の強度の磁場は、例えば制御可能な磁場の最大値とすることが好ましいが、これに限らず、任意の強度の磁場とすることができる。
【０１０６】
第二の変形例の技術内容は、第一の変形例と組み合わせることも可能である。
【０１０７】
つまり、図６のステップＳ１０，Ｓ１１の前に、電子機器と充電装置との近接度を判定し、双方が接触していなければステップＳ１０，Ｓ１１の処理を行い、双方が接触していれば磁場の発生を停止させる制御を行ってもよい。
【０１０８】
（第三の変形例）
図９は、充電システム１００における電子機器１の変形例である電子機器１ｂの内部構成を示すブロック図である。電子機器１ｂは、近接物体検知部３０を追加した点を除いては、電子機器１と同じ構成である。
【０１０９】
近接物体検知部３０は、電子機器１に対して予め決めた距離内に物体がある場合に、この物体を検知して検知信号を出力するセンサにより構成される。近接物体検知部３０から出力される検知信号は制御部１５に入力される。
【０１１０】
図１０は、電子機器１ｂと充電装置２を有する充電システムの動作を説明するためのフローチャートである。図１０において図４と同じ処理には同一符号を付してある。
【０１１１】
ステップＳ２の処理の後、電子機器１ｂの制御部１５は、近接物体検知部３０から検知信号の入力があるか否かを判定し（ステップＳ２１）、検知信号の入力があった場合にステップＳ２２の処理を行い、検知信号の入力がない場合は、所定時間経過後に、再びステップＳ１の処理を行う。
【０１１２】
ステップＳ２２において制御部１５は、近接物体検知部３０から入力された検知信号を、近距離無線通信部１６を介して充電装置２に送信する。
【０１１３】
充電装置２の制御部２２は、ステップＳ３の処理の後、近距離無線通信部２４によって検知信号を受信した場合（ステップＳ２３：ＹＥＳ）はステップＳ４の処理を行い、検知信号を受信していない場合（ステップＳ２３：ＮＯ）はステップＳ１４の処理を行う。
【０１１４】
このように、電子機器１ｂに物体（例えば、人の手等）が近づいたときだけ、バッテリ残量に応じて磁場の強度が制御され、電子機器１ｂの近くに物体がない場合は磁場の発生が停止される。
【０１１５】
このため、バッテリ残量に応じた磁場を可変磁場発生部２５から常に発生させる場合と比較して充電装置２の消費電力を抑えることができる。したがって、充電効率を向上させることができる。
【０１１６】
また、電子機器１ｂを充電装置２から持ち上げない状態でも、人の手が電子機器１ｂに触れていれば、バッテリ残量に応じた磁場によって磁力が発生する。このため、電子機器１ｂを充電装置２に接触させたまま水平方向に移動させる場合でも、バッテリ残量に応じた重さの感覚を与えることができるようになる。
【０１１７】
なお、図１０のステップＳ１４においても、磁場の発生を停止させる代わりに、固定強度の磁場（引力を発生させる磁場）を発生させるようにすることで、充電時の位置ズレを防いで充電効率を向上させることができる。
【０１１８】
また、第三の変形例の技術内容は、第一の変形例と組み合わせることも可能である。
【０１１９】
（第四の変形例）
図１１は、充電システム１００における充電装置２の変形例である充電装置２ｂの内部構成を示すブロック図である。充電装置２ｂは、機器質量検出部２７を追加した点を除いては、充電装置２と同じ構成である。
【０１２０】
機器質量検出部２７は、電子機器１を置く平面部に内蔵された荷重センサにより構成される。機器質量検出部２７は、荷重センサにより、平面部に置かれた電子機器１の質量を検出し、検出した質量の情報を制御部２２に入力する。
【０１２１】
充電装置２ｂの制御部２２は、バッテリ残量に応じた磁場を可変磁場発生部２５から発生させる際、機器質量検出部２７から入力された電子機器１の質量の情報を考慮して、可変磁場発生部２５から発生させる磁場の強度を決定する。
【０１２２】
可変磁場発生部２５と磁性体１８との間で引力を発生させる場合、バッテリ残量が同じであっても、重い電子機器１ほど重力が大きくなるため、電子機器１を持ち上げ難くなる。
【０１２３】
したがって、この場合、充電装置２ｂの制御部２２は、同じバッテリ残量であっても、電子機器１の質量が大きいほど磁場の強度を小さくすることで、電子機器１を持ち上げる際の負荷を軽減することができ、利便性を向上させることができる。
【０１２４】
また、可変磁場発生部２５と磁性体１８との間で斥力を発生させる場合、バッテリ残量が同じであっても、軽い電子機器１ほど重力が小さくなり、電子機器１を持ち上げる際に急激に上向きの力がかかって機器を放り投げてしまう可能性がある。
【０１２５】
したがって、この場合、充電装置２ｂの制御部２２は、同じバッテリ残量であっても、電子機器１の質量が小さいほど磁場の強度を小さくすることで、電子機器１に急激な上向きの力がかかるのを防ぐことができ、機器の安全性を確保することができる。
【０１２６】
なお、機器質量検出部２７は、電子機器１の質量の情報を取得できればよいため、荷重センサ以外の構成とすることもできる。
【０１２７】
例えば、電子機器１のメモリ１２に電子機器１の質量の情報を予め記憶しておき、充電装置２ｂの制御部２２が、近距離無線通信部２４を介して、電子機器１のメモリ１２に記憶されている質量の情報を取得するようにしてもよい。
【０１２８】
また、第四の変形例の技術内容は、第一の変形例〜第三の変形例のいずれかと組み合わせることも可能である。
【０１２９】
（第五の変形例）
図１２は、充電システム１００における充電装置２の変形例である充電装置２ｃの内部構成を示すブロック図である。充電装置２ｃは、機器位置検出部２８を追加した点を除いては、充電装置２と同じ構成である。
【０１３０】
充電装置２ｃは、給電回路２１を複数有し、この複数の給電回路２１が電子機器１を置く平面部に二次元状に配置されている。
【０１３１】
機器位置検出部２８は、複数の給電回路２１のうち、電子機器１の充電回路１４に含まれる受電コイルの近くにある給電回路２１を特定することで、電子機器１が充電装置２ｃの平面部のどこに置かれているのかを検出する。
【０１３２】
なお、機器位置検出部２８は、例えば、充電装置２ｃの平面部に二次元状に配置された複数の感圧センサによって、平面部に置かれた電子機器１の当該平面部における位置を検出する構成としてもよい。
【０１３３】
充電装置２ｃの制御部２２は、バッテリ残量に応じた磁場を可変磁場発生部２５から発生させる際、機器位置検出部２８から入力された電子機器１の位置の情報を考慮して、可変磁場発生部２５から発生させる磁場の強度を決定する。
【０１３４】
なお、この変形例では、可変磁場発生部２５から発生させる磁場を、可変磁場発生部２５と磁性体１８の対向する部分が異極性となるような方向の磁場（可変磁場発生部２５と磁性体１８の間に引力を発生させる磁場）とする。
【０１３５】
具体的には、制御部２２は、バッテリ残量に応じて決める磁場の強度を、電子機器１の位置によって変更する。
【０１３６】
例えば、充電装置２の平面部における電子機器１の位置が、その平面部の中央にあるときと周辺にあるときとでは、周辺にあるときの磁場を強くする。つまり、同じバッテリ残量であっても、電子機器１の位置が平面部において中央から周辺に離れるほど、磁場の強度を大きくする。
【０１３７】
電子機器１が平面部の周辺に置かれている状況では、電子機器１が衝撃などにより動くと、電子機器１が充電装置２ｃの平面部からはみ出てしまい、充電がうまくできなくなる可能性がある。
【０１３８】
そこで、上記のように、電子機器１が平面部の周辺部分にあるときには引力を強くすることで、電子機器１の位置ズレを防止して充電効率の低下を防ぐことができる。
【０１３９】
なお、第五の変形例の技術内容は、第一の変形例〜第四の変形例のいずれかと組み合わせることも可能である。
【０１４０】
（第六の変形例）
図１３は、充電システム１００における電子機器１の変形例である電子機器１ｃの内部構成を示すブロック図である。電子機器１ｃは、利用者識別部３１を追加した点を除いては、電子機器１と同じ構成である。
【０１４１】
利用者識別部３１は、電子機器１ｃに触れた人物を識別し、識別した人物が予め登録された人物であるか否かを判定する。
【０１４２】
利用者識別部３１は、例えば、指紋認証、虹彩認証、顔画像認証等の技術によって電子機器１ｃに触れている人物を識別する。
【０１４３】
電子機器１ｃのメモリ１２には、人物の認証に必要な情報（指紋、虹彩、顔画像等）がユーザ操作によって予め登録される。
【０１４４】
利用者識別部３１は、指紋センサ、虹彩センサ、カメラ等によって取得した人物の情報とメモリ１２に登録されている情報とを照合して、電子機器１ｃに触れている人物を識別する。
【０１４５】
電子機器１ｃの制御部１５は、利用者識別部３１により識別された人物が予め登録された人物と一致しない場合は、不正利用信号を生成して近距離無線通信部１６から充電装置２に送信する。
【０１４６】
充電装置２の制御部２２は、不正利用信号を電子機器１ｃから受信した場合は、バッテリ残量によらずに、可変磁場発生部２５から発生させる磁場を、可変磁場発生部２５と磁性体１８の対向する部分が異極性となるような方向の磁場の最大値にし、不正利用信号を電子機器１ｃから受信していない場合は、バッテリ残量に応じて可変磁場発生部２５から発生させる磁場を制御する。
【０１４７】
これにより、電子機器１ｃの所有者以外の人物が電子機器１ｃを持ち去ろうとした場合に、可変磁場発生部２５から発生される磁場が最大となって、電子機器１ｃが充電装置２に強く引き付けられることになる。
【０１４８】
したがって、電子機器１ｃの持ち去りを防ぐことができ、盗難防止効果を得ることができる。一方、電子機器１ｃの所有者は、電子機器１ｃに対して利用登録を予めしておくことで、電子機器１ｃを自由に持ち運ぶことができる。
【０１４９】
なお、電子機器１ｃのメモリ１２には、人物の識別に必要な情報に加えて、登録された人物に対応する磁場の強度の設定情報を登録しておき、電子機器１ｃの制御部１５は、利用者識別部３１によって識別された人物が予め登録された人物と一致する場合は、識別された人物に対応する設定情報を充電装置２に送信する。そして、充電装置２の制御部２２は、電子機器１ｃから受信した設定情報とバッテリ残量又は空き容量とに応じた磁場を発生させる制御を行ってもよい。
【０１５０】
上記設定情報は、磁場の強度を例えば強、普通、弱の３段階で指定する情報であり、可変磁場発生部２５から発生する磁場は、同じバッテリ残量であっても、上記設定情報にしたがって強、普通、弱の３段階に制御されることになる。
【０１５１】
このように、電子機器１ｃを利用する人物毎に磁場の強度を設定できるようにしておくことで、バッテリ残量に応じた電子機器の重みの感覚を各人物にとって最適なものとすることができ、使い勝手を向上させることができる。
【０１５２】
第六の変形例の技術内容は、第一の変形例〜第五の変形例のいずれかと組み合わせることも可能である。
【０１５３】
ここまでの説明では、充電装置と電子機器との間に発生させる磁力の制御を、充電装置側で行うものとしたが、この制御を電子機器側で行うことも可能である。
【０１５４】
例えば、図２における磁性体１８を図３に示す充電装置２の可変磁場発生部２５に変更し、図３における可変磁場発生部２５を図２における磁性体１８に変更したシステム構成として、電子機器１の制御部１５が、バッテリ１１の残量又は空き容量に応じて、可変磁場発生部２５から発生させる磁場を制御してもよい。
【０１５５】
また、第一の変形例では、電子機器１ａの磁石１９と充電装置２の可変磁場発生部２５を交換したシステム構成として、電子機器１ａが、可変磁場発生部２５から発生させる磁場の強度をバッテリ残量に応じて制御し、充電装置２が、磁石１９から発生させる磁場を、バッテリ残量に応じた値に制御したり、予め決めた固定の強度の磁場としたりする構成としてもよい。この構成でも、同様に、磁石１９と可変磁場発生部２５の間で、バッテリ残量に応じた引力又は斥力を発生させることができる。
【０１５６】
また、第二の変形例では、図７における可変磁場発生部２５を磁性体１８に変更し、図２における磁性体１８を可変磁場発生部２５に変更したシステム構成として、電子機器１の制御部１５が、機器接触検出部２６からの情報を取得し、この情報にしたがって可変磁場発生部２５から発生させる磁場を制御すればよい。
【０１５７】
また、第三の変形例では、図９における磁性体１８を可変磁場発生部２５に変更し、図２における可変磁場発生部２５を磁性体１８に変更したシステム構成として、電子機器１ｂの制御部１５が、近接物体検知部３０の出力信号にしたがって、可変磁場発生部２５から発生させる磁場を制御すればよい。
【０１５８】
また、第四の変形例では、図１１における可変磁場発生部２５を磁性体１８に変更し、図２における磁性体１８を可変磁場発生部２５に変更したシステム構成とする。そして、電子機器１の制御部１５が、機器質量検出部２７で検出された電子機器１の質量情報を充電装置２ｂから取得し、この質量情報にしたがって、可変磁場発生部２５から発生させる磁場を制御すればよい。
【０１５９】
また、第五の変形例では、図１２における可変磁場発生部２５を磁性体１８に変更し、図２における磁性体１８を可変磁場発生部２５に変更したシステム構成とする。そして、電子機器１の制御部１５が、機器位置検出部２８で検出された電子機器１の位置情報を充電装置２ｃから取得し、この情報にしたがって、可変磁場発生部２５から発生させる磁場を制御すればよい。
【０１６０】
また、第六の変形例では、図１３における磁性体１８を可変磁場発生部２５に変更し、図３における可変磁場発生部２５を磁性体１８に変更したシステム構成とする。そして、電子機器１ｃの制御部１５が、利用者識別部３１の識別結果にしたがって、可変磁場発生部２５から発生させる磁場を制御すればよい。
【０１６１】
また、ここまでは、電子機器のバッテリ残量又はバッテリ空き容量に応じて、電子機器と充電装置との間に働く磁力を制御する例を説明したが、上述してきた制御方法は、様々な応用が可能である。
【０１６２】
例えば、電子機器１として、電子マネー機能を搭載する携帯端末を想定した場合は、電子機器と充電装置との間に働く磁力を、この携帯端末に登録されている電子マネーの金額に応じて制御することで、携帯端末に残っている電子マネーの量を感覚的に知ることができるようになる。
【０１６３】
以上説明してきたように、本明細書には以下の事項が開示されている。
【０１６４】
開示された充電装置は、無線により電力を送信する電力送信部を有する充電装置であって、強度可変の磁場を発生する磁場発生部と、上記磁場発生部が発生する磁場を制御する磁場制御部と、上記電力送信部が送信する電力を受信可能な電子機器が、磁化性を有する磁化性物体を有しているか否かを判定する判定部と、を備え、上記磁場制御部は、上記電子機器が上記磁化性物体を有していると上記判定部により判定された場合に、上記電子機器のバッテリにおける電力の残存容量又は蓄積可能空き容量に応じて、上記磁場発生部が発生する磁場の強度を、ゼロを除く複数段階に可変する制御を行うものである。
【０１６５】
開示された充電装置は、上記磁場制御部は、上記電子機器が上記磁化性物体を有していないと上記判定部により判定された場合には、上記磁場発生部から磁場を発生させないものである。
【０１６６】
開示された充電装置は、上記電子機器との近接度を検出する近接度検出部を備え、上記磁場制御部は、上記電子機器が上記磁化性物体を有していると上記判定部により判定された場合に、上記近接度と上記残存容量又は上記蓄積可能空き容量に応じて上記磁場の強度を可変するものである。
【０１６７】
開示された充電装置は、上記磁場制御部は、上記磁化性物体を有する上記電子機器との上記近接度が予め決めた値以上の状態では上記磁場発生部から磁場を発生させず、上記近接度が上記予め決めた値未満になった時点で、上記残存容量又は上記蓄積可能空き容量に応じた強度の磁場を上記磁場発生部から発生させるものである。
【０１６８】
開示された充電装置は、上記電子機器との近接度を検出する近接度検出部を備え、上記磁場制御部は、上記電子機器が上記磁化性物体を有していると上記判定部により判定された場合に、上記磁化性物体を有する上記電子機器との上記近接度が予め決めた値以上の状態では上記磁場発生部から磁場を発生させず、上記近接度が上記予め決めた値未満になった時点から予め決められた時間経過後に、上記残存容量又は上記蓄積可能空き容量に応じた強度の磁場を上記磁場発生部から発生させるものである。
【０１６９】
開示された充電装置は、上記電子機器との近接度を検出する近接度検出部を備え、上記磁場制御部は、上記電子機器が上記磁化性物体を有していると上記判定部により判定された場合に、上記磁化性物体を有する上記電子機器との上記近接度が予め決めた値以上の状態では、上記残存容量又は上記蓄積可能空き容量とは無関係に、上記磁化性物体との間で引力を発生させる固定強度の磁場を上記磁場発生部から発生させ、上記近接度が上記予め決めた値未満の状態では、上記残存容量又は上記蓄積可能空き容量に応じた強度の磁場を発生させるものである。
【０１７０】
開示された充電装置は、上記電子機器に対する物体の接近を検出する物体接近検出部を備え、上記磁場制御部は、上記電子機器に対して予め決められた距離内に物体がない状態では、上記磁場発生部から磁場を発生させず、上記電子機器に対して予め決められた距離内に物体がある状態で、上記残存容量又は上記蓄積可能空き容量に応じた強度の磁場を上記磁場発生部から発生させるものである。
【０１７１】
開示された充電装置は、上記電子機器の質量の情報を取得する機器質量情報取得部を備え、上記磁場制御部は、上記残存容量又は上記蓄積可能空き容量に応じて上記磁場発生部から発生させる磁場の強度を、上記電子機器の質量に応じて可変するものである。
【０１７２】
開示された充電装置は、上記電子機器が接触している充電装置における位置を検出する機器接触位置検出部を備え、上記磁場制御部は、上記残存容量又は上記蓄積可能空き容量に応じて上記磁場発生部から発生させる磁場の強度を、上記電子機器の接触位置に応じて可変するものである。
【０１７３】
開示された充電装置は、上記電子機器に触れている人物を識別する識別部を備え、上記磁場制御部は、上記残存容量又は上記蓄積可能空き容量に応じて上記磁場発生部から発生させる磁場の強度を、上記識別部によって識別された人物に応じて可変するものである。
【０１７４】
開示された充電装置は、上記電子機器に触れている人物を識別する識別部を備え、上記磁場制御部は、上記識別部により識別された人物が予め登録された人物でない場合に、上記残量容量又は上記蓄積可能空き容量とは無関係に、上記磁場発生部から、上記磁化性物体との間で引力を発生させる固定の強度の磁場を発生させるものである。
【０１７５】
開示された充電装置は、上記磁化性物体が磁石であり、上記磁場制御部は、上記磁場発生部から発生させる磁場を、上記磁石との間で斥力を発生させる第一の磁場と、上記磁石との間で引力を発生させる第二の磁場とで切り替える制御を行うものである。
【０１７６】
開示された電子機器は、磁化性を有する磁化性物体を備える充電装置から無線により送信されてくる電力を受信する電力受信部と、上記電力受信部により受信した電力により充電されるバッテリとを有する電子機器であって、強度が可変の磁場を発生する磁場発生部と、上記磁場発生部が発生する磁場を制御する磁場制御部とを備え、上記磁場制御部は、上記バッテリにおける電力の残存容量又は蓄積可能空き容量に応じて、上記磁場発生部が発生する磁場の強度を、ゼロを除く複数段階に可変するものである。
【０１７７】
開示された電子機器は、上記充電装置との近接度を検出する近接度検出部を備え、上記磁場制御部は、上記近接度と上記残存容量又は上記蓄積可能空き容量に応じて、上記磁場の強度を可変するものである。
【０１７８】
開示された電子機器は、上記磁場制御部は、上記近接度が予め決めた値以上の状態では上記磁場発生部から磁場を発生させず、上記近接度が上記予め決めた値未満になった時点で、上記残存容量又は上記蓄積可能空き容量に応じた強度の磁場を上記磁場発生部から発生させるものである。
【０１７９】
開示された電子機器は、上記充電装置との近接度を検出する近接度検出部を備え、上記磁場制御部は、上記近接度が予め決めた値以上の状態では上記磁場発生部から磁場を発生させず、上記近接度が上記予め決めた値未満になった時点から予め決められた時間経過後に、上記残存容量又は上記蓄積可能空き容量に応じた強度の磁場を上記磁場発生部から発生させるものである。
【０１８０】
開示された電子機器は、上記充電装置との近接度を検出する近接度検出部を備え、上記磁場制御部は、上記近接度が予め決めた値以上の状態では、上記残存容量又は上記蓄積可能空き容量とは無関係に、上記磁化性物体との間で引力を発生させる固定強度の磁場を上記磁場発生部から発生させるものである。
【０１８１】
開示された電子機器は、物体の接近を検出する物体接近検出部を備え、上記磁場制御部は、上記電子機器に対して予め決められた距離内に物体がない状態では、上記磁場発生部から磁場を発生させず、上記電子機器に対して予め決められた距離内に物体がある状態で、上記残存容量又は上記蓄積可能空き容量に応じた強度の磁場を上記磁場発生部から発生させるものである。
【０１８２】
開示された電子機器は、上記電子機器の質量の情報を取得する機器質量情報取得部を備え、上記磁場制御部は、上記残存容量又は上記蓄積可能空き容量に応じて上記磁場発生部から発生させる磁場の強度を、上記電子機器の質量に応じて可変するものである。
【０１８３】
開示された電子機器は、上記充電装置における上記電子機器の接触位置を検出する機器接触位置検出部を備え、上記磁場制御部は、上記残存容量又は上記蓄積可能空き容量に応じて上記磁場発生部から発生させる磁場の強度を、上記電子機器の接触位置に応じて可変するものである。
【０１８４】
開示された電子機器は、上記電子機器に触れている人物を識別する識別部を備え、上記磁場制御部は、上記残存容量又は上記蓄積可能空き容量に応じて上記磁場発生部から発生させる磁場の強度を、上記識別部によって識別された人物に応じて可変するものである。
【０１８５】
開示された電子機器は、上記電子機器に触れている人物を識別する識別部を備え、上記磁場制御部は、上記識別部により識別された人物が予め登録された人物でない場合に、上記残存容量又は上記蓄積可能空き容量とは無関係に、上記磁場発生部から、上記磁化性物体との間で引力を発生させる固定強度の磁場を発生させるものである。
【０１８６】
開示された電子機器は、上記磁化性物体が磁石であり、上記磁場制御部は、上記磁場発生部が発生する磁場を、上記磁石との間で斥力を発生させる第一の磁場と、上記磁石との間で引力を発生させる第二の磁場とで切り替える制御を行うものである。
【０１８７】
開示された充電状況通知方法は、無線により電力を送信する電力送信部と磁場を発生する磁場発生部とを有する充電装置を用いた充電状況通知方法であって、上記充電装置が、上記磁場発生部が発生する磁場の強度を可変制御する磁場制御ステップと、上記電力送信部から送信される電力を受信可能な電子機器が、磁化性を有する磁化性物体を有しているか否かを判定する判定ステップと、を備え、上記磁場制御ステップでは、上記磁化性物体を有すると判定された上記電子機器のバッテリにおける電力の残存容量又は蓄積可能空き容量に応じて、上記磁場発生部が発生する磁場の強度を、ゼロを除く複数段階に可変するものである。
【０１８８】
開示された充電状況通知方法は、磁化性を有する磁化性物体を備える充電装置から無線により送信されてくる電力を受信する電力受信部と、上記電力受信部により受信した電力により充電されるバッテリと、磁場を発生する磁場発生部とを有する電子機器を用いた充電状況通知方法であって、上記電子機器が、上記磁場発生部が発生する磁場の強度を可変制御する磁場制御ステップを備え、上記磁場制御ステップでは、上記電子機器が、上記バッテリにおける電力の残存容量又は蓄積可能空き容量に応じて、上記磁場の強度をゼロを除く複数段階に可変するものである。
【産業上の利用可能性】
【０１８９】
本発明によれば、コストをかけることなくワイヤレス充電中の電子機器の充電状況を把握可能とする充電装置及びワイヤレス充電対応の電子機器を提供することができる。【０１９０】
以上、本発明を特定の実施形態によって説明したが、本発明はこの実施形態に限定されるものではなく、開示された発明の技術思想を逸脱しない範囲で種々の変更が可能である。
本出願は、２０１２年８月３０日出願の日本特許出願（特願２０１２−１８９５０５）に基づくものであり、その内容はここに取り込まれる。
【符号の説明】
【０１９１】
１００  充電システム
１  電子機器
２  充電装置
１１  バッテリ
２１  給電回路
２２  制御部
２５  可変磁場発生部
【図１】
2014034183.tif 000003
【図２】
2014034183.tif 000004
【図３】
2014034183.tif 000005
【図４】
2014034183.tif 000006
【図５】
2014034183.tif 000007
【図６】
2014034183.tif 000008
【図７】
2014034183.tif 000009
【図８】
2014034183.tif 000010
【図９】
2014034183.tif 000011
【図１０】
2014034183.tif 000012
【図１１】
2014034183.tif 000013
【図１２】
2014034183.tif 000014
【図１３】
2014034183.tif 000015
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
無線により電力を送信する電力送信部を有する充電装置であって、
強度可変の磁場を発生する磁場発生部と、
前記磁場発生部が発生する磁場を制御する磁場制御部と、
前記電力送信部が送信する電力を受信可能な電子機器が、磁化性を有する磁化性物体を有しているか否かを判定する判定部と、を備え、
前記磁場制御部は、前記電子機器が前記磁化性物体を有していると前記判定部により判定された場合に、前記電子機器のバッテリにおける電力の残存容量又は蓄積可能空き容量に応じて、前記磁場発生部が発生する磁場の強度を、ゼロを除く複数段階に可変する制御を行う充電装置。
【請求項２】
請求項１記載の充電装置であって、
前記磁場制御部は、前記電子機器が前記磁化性物体を有していないと前記判定部により判定された場合には、前記磁場発生部から磁場を発生させない充電装置。
【請求項３】
請求項１又は２記載の充電装置であって、
前記電子機器との近接度を検出する近接度検出部を備え、
前記磁場制御部は、前記電子機器が前記磁化性物体を有していると前記判定部により判定された場合に、前記近接度と前記残存容量又は前記蓄積可能空き容量に応じて前記磁場の強度を可変する充電装置。
【請求項４】
請求項３記載の充電装置であって、
前記磁場制御部は、前記磁化性物体を有する前記電子機器との前記近接度が予め決めた値以上の状態では前記磁場発生部から磁場を発生させず、前記近接度が前記予め決めた値未満になった時点で、前記残存容量又は前記蓄積可能空き容量に応じた強度の磁場を前記磁場発生部から発生させる充電装置。
【請求項５】
請求項１又は２記載の充電装置であって、
前記電子機器との近接度を検出する近接度検出部を備え、
前記磁場制御部は、前記電子機器が前記磁化性物体を有していると前記判定部により判定された場合に、前記磁化性物体を有する前記電子機器との前記近接度が予め決めた値以上の状態では前記磁場発生部から磁場を発生させず、前記近接度が前記予め決めた値未満になった時点から予め決められた時間経過後に、前記残存容量又は前記蓄積可能空き容量に応じた強度の磁場を前記磁場発生部から発生させる充電装置。
【請求項６】
請求項１又は２記載の充電装置であって、
前記電子機器との近接度を検出する近接度検出部を備え、
前記磁場制御部は、前記電子機器が前記磁化性物体を有していると前記判定部により判定された場合に、前記磁化性物体を有する前記電子機器との前記近接度が予め決めた値以上の状態では、前記残存容量又は前記蓄積可能空き容量とは無関係に、前記磁化性物体との間で引力を発生させる固定強度の磁場を前記磁場発生部から発生させ、前記近接度が前記予め決めた値未満の状態では、前記残存容量又は前記蓄積可能空き容量に応じた強度の磁場を発生させる充電装置。
【請求項７】
請求項１又は２記載の充電装置であって、
前記電子機器に対する物体の接近を検出する物体接近検出部を備え、
前記磁場制御部は、前記電子機器に対して予め決められた距離内に物体がない状態では、前記磁場発生部から磁場を発生させず、前記電子機器に対して予め決められた距離内に物体がある状態で、前記残存容量又は前記蓄積可能空き容量に応じた強度の磁場を前記磁場発生部から発生させる充電装置。
【請求項８】
請求項１〜７のいずれか１項記載の充電装置であって、
前記電子機器の質量の情報を取得する機器質量情報取得部を備え、
前記磁場制御部は、前記残存容量又は前記蓄積可能空き容量に応じて前記磁場発生部から発生させる磁場の強度を、前記電子機器の質量に応じて可変する充電装置。
【請求項９】
請求項１〜８のいずれか１項記載の充電装置であって、
前記電子機器が接触している充電装置における位置を検出する機器接触位置検出部を備え、
前記磁場制御部は、前記残存容量又は前記蓄積可能空き容量に応じて前記磁場発生部から発生させる磁場の強度を、前記電子機器の接触位置に応じて可変する充電装置。
【請求項１０】
請求項１〜９のいずれか１項記載の充電装置であって、
前記電子機器に触れている人物を識別する識別部を備え、
前記磁場制御部は、前記残存容量又は前記蓄積可能空き容量に応じて前記磁場発生部から発生させる磁場の強度を、前記識別部によって識別された人物に応じて可変する充電装置。
【請求項１１】
請求項１〜９のいずれか１項記載の充電装置であって、
前記電子機器に触れている人物を識別する識別部を備え、
前記磁場制御部は、前記識別部により識別された人物が予め登録された人物でない場合に、前記残存容量又は前記蓄積可能空き容量とは無関係に、前記磁場発生部から、前記磁化性物体との間で引力を発生させる固定の強度の磁場を発生させる充電装置。
【請求項１２】
請求項１〜１１のいずれか１項記載の充電装置であって、
前記磁化性物体は磁石であり、
前記磁場制御部は、前記磁場発生部から発生させる磁場を、前記磁石との間で斥力を発生させる第一の磁場と、前記磁石との間で引力を発生させる第二の磁場とで切り替える制御を行う充電装置。
【請求項１３】
磁化性を有する磁化性物体を備える充電装置から無線により送信されてくる電力を受信する電力受信部と、前記電力受信部により受信した電力により充電されるバッテリとを有する電子機器であって、
強度が可変の磁場を発生する磁場発生部と、
前記磁場発生部が発生する磁場を制御する磁場制御部とを備え、
前記磁場制御部は、前記バッテリにおける電力の残存容量又は蓄積可能空き容量に応じて、前記磁場発生部が発生する磁場の強度を、ゼロを除く複数段階に可変する電子機器。
【請求項１４】
請求項１３記載の電子機器であって、
前記充電装置との近接度を検出する近接度検出部を備え、
前記磁場制御部は、前記近接度と前記残存容量又は前記蓄積可能空き容量に応じて、前記磁場の強度を可変する電子機器。
【請求項１５】
請求項１４記載の電子機器であって、
前記磁場制御部は、前記近接度が予め決めた値以上の状態では前記磁場発生部から磁場を発生させず、前記近接度が前記予め決めた値未満になった時点で、前記残存容量又は前記蓄積可能空き容量に応じた強度の磁場を前記磁場発生部から発生させる電子機器。
【請求項１６】
請求項１３記載の電子機器であって、
前記充電装置との近接度を検出する近接度検出部を備え、
前記磁場制御部は、前記近接度が予め決めた値以上の状態では前記磁場発生部から磁場を発生させず、前記近接度が前記予め決めた値未満になった時点から予め決められた時間経過後に、前記残存容量又は前記蓄積可能空き容量に応じた強度の磁場を前記磁場発生部から発生させる電子機器。
【請求項１７】
請求項１３記載の電子機器であって、
前記充電装置との近接度を検出する近接度検出部を備え、
前記磁場制御部は、前記近接度が予め決めた値以上の状態では、前記残存容量又は前記蓄積可能空き容量とは無関係に、前記磁化性物体との間で引力を発生させる固定強度の磁場を前記磁場発生部から発生させる電子機器。
【請求項１８】
請求項１３〜１７のいずれか１項記載の電子機器であって、
物体の接近を検出する物体接近検出部を備え、
前記磁場制御部は、前記電子機器に対して予め決められた距離内に物体がない状態では、前記磁場発生部から磁場を発生させず、前記電子機器に対して予め決められた距離内に物体がある状態で、前記残存容量又は前記蓄積可能空き容量に応じた強度の磁場を前記磁場発生部から発生させる電子機器。
【請求項１９】
請求項１３〜１８のいずれか１項記載の電子機器であって、
前記電子機器の質量の情報を取得する機器質量情報取得部を備え、
前記磁場制御部は、前記残存容量又は前記蓄積可能空き容量に応じて前記磁場発生部から発生させる磁場の強度を、前記電子機器の質量に応じて可変する電子機器。
【請求項２０】
請求項１３〜１９のいずれか１項記載の電子機器であって、
前記充電装置における前記電子機器の接触位置を検出する機器接触位置検出部を備え、
前記磁場制御部は、前記残存容量又は前記蓄積可能空き容量に応じて前記磁場発生部から発生させる磁場の強度を、前記電子機器の接触位置に応じて可変する電子機器。
【請求項２１】
請求項１３〜２０のいずれか１項記載の電子機器であって、
前記電子機器に触れている人物を識別する識別部を備え、
前記磁場制御部は、前記残存容量又は前記蓄積可能空き容量に応じて前記磁場発生部から発生させる磁場の強度を、前記識別部によって識別された人物に応じて可変する電子機器。
【請求項２２】
請求項１３〜２０のいずれか１項記載の電子機器であって、
前記電子機器に触れている人物を識別する識別部を備え、
前記磁場制御部は、前記識別部により識別された人物が予め登録された人物でない場合に、前記残存容量又は前記蓄積可能空き容量とは無関係に、前記磁場発生部から、前記磁化性物体との間で引力を発生させる固定強度の磁場を発生させる電子機器。
【請求項２３】
請求項１３〜２２のいずれか１項記載の電子機器であって、
前記磁化性物体は磁石であり、
前記磁場制御部は、前記磁場発生部が発生する磁場を、前記磁石との間で斥力を発生させる第一の磁場と、前記磁石との間で引力を発生させる第二の磁場とで切り替える制御を行う電子機器。
【請求項２４】
無線により電力を送信する電力送信部と磁場を発生する磁場発生部とを有する充電装置を用いた充電状況通知方法であって、
前記充電装置が、前記磁場発生部が発生する磁場の強度を可変制御する磁場制御ステップと、
前記電力送信部から送信される電力を受信可能な電子機器が、磁化性を有する磁化性物体を有しているか否かを判定する判定ステップと、を備え、
前記磁場制御ステップでは、前記磁化性物体を有すると判定された前記電子機器のバッテリにおける電力の残存容量又は蓄積可能空き容量に応じて、前記磁場発生部が発生する磁場の強度を、ゼロを除く複数段階に可変する充電状況通知方法。
【請求項２５】
磁化性を有する磁化性物体を備える充電装置から無線により送信されてくる電力を受信する電力受信部と、前記電力受信部により受信した電力により充電されるバッテリと、磁場を発生する磁場発生部とを有する電子機器を用いた充電状況通知方法であって、
前記電子機器が、前記磁場発生部が発生する磁場の強度を可変制御する磁場制御ステップを備え、
前記磁場制御ステップでは、前記電子機器が、前記バッテリにおける電力の残存容量又は蓄積可能空き容量に応じて、前記磁場の強度をゼロを除く複数段階に可変する充電状況通知方法。
【国際調査報告】
2014034183.tif 000016
2014034183.tif 000017